(57)【特許請求の範囲】
【請求項１】
住宅の玄関に設けられるベンチの利便性を体験するための装置であって、
ベンチの周囲に、該ベンチの天面から床面までの高さが異なるように、複数の床が設けられ、
前記複数の床が、玄関の土間と夫々連設されており、各床と土間との段差が夫々異なるものであることを特徴とする玄関ベンチ体験装置。
【発明の詳細な説明】
【０００１】
【発明の属する技術分野】
本発明は、居住者や設計者等に、住宅の玄関に設けられるベンチの必要性及び利便性を体験させるための玄関ベンチ体験装置に関するものである。
【０００２】
【従来の技術】
近年、住宅設計において所謂バリアフリーが重要視されているが、一生涯にわたり快適に住みつづけることのできる生涯住宅を設計するには、単に高齢者にとっての住み易さだけでなく、例えば、妊婦や運動障害者等、あらゆる人にとって住み易い住宅設計、所謂ユニバーサルデザインとなっていることも必要である。
【０００３】
【発明が解決しようとする課題】
具体的に住宅の玄関であれば、一般的に、上がり框に段差が設けられることが多いが、該段差がつまづきや転倒の原因となり得るので、これを防止するためには、該段差は低いほうが望ましい。
【０００４】
一方、例えば、履物を履いたり靴紐等を結んだりする際に上がり框に腰を掛けることがあるが、上がり框の段差が低くければ、ほぼ完全に座り込んでしまう必要がある。このように上がり框に一旦座り込んで、再び立ち上がる動作は、足腰の筋力が十分にある健常人であれば難なく行うことができるが、足腰の筋力が不十分で身体の柔軟性も低い高齢者や運動障害者等にとっては困難であることが多い。
【０００５】
従って、履物を履く又は脱ぐ際に腰を掛けて再び立ち上がることが容易にできるように、玄関の上がり框付近にベンチを設けることがある。該玄関のベンチについても、その必要性及び利便性を検討して、例えば、ベンチの高さはどの程度が最も使い易いかということについて、住宅設計の際に十分に検討しておくことが重要である。
【０００６】
しかし、一般の者には、例えば設計図面等のみから、それに表されたベンチの利便性を検討することは難しいので、居住者は建築後の住宅に住んでみて、又は実際にベンチ等が必要となった場合に初めて具体的な要望が生じることが多い。
【０００７】
一方、設計者等の住宅設計に関わる者は、設計図面等から実際のベンチを想像することは比較的容易であると考えられるが、例えば、設計者が若年齢の健常者である場合に、高年齢者や運動障害者が居住する住宅の玄関に設けるべきベンチの実際の利便性を、夫々の立場で想像することは難しい。従って、住宅設計の依頼者等から、高齢者や運動障害者等の具体的な家族構成に基づいてベンチをどのように設ければよいかという質問があった場合に、設計者が適確に回答できないことがあるという問題もあった。
【０００８】
本発明は、かかる問題に鑑みてなされたものであり、住宅設計にユニバーサルデザインを導入する際に、住宅の玄関に設けるベンチの必要性や利便性を実際に体験するための装置を提供することを目的とする。
【０００９】
【課題を解決するための手段】
本発明の請求項１に係る玄関ベンチ体験装置は、住宅の玄関に設けられるベンチの利便性を体験するための装置であって、ベンチの周囲に、該ベンチの天面から床面までの高さが異なるように、複数の床が設けられ、前記複数の床が、玄関の土間と夫々連設されており、各床と土間との段差が夫々異なるものである。
【００１１】
【発明の実施の形態】
以下、本発明の実施の形態を図面に基づき具体的に説明する。
図１は、本発明の実施の形態に係る玄関ベンチ体験装置の構成を示す概略斜視図であり、図に示すように、本玄関ベンチ体験装置１００は、ベンチ１０１の周囲に、床面からベンチ１０１の天面までの高さが異なる複数の床１０２、１０３、１０４が設けられてなるものである。
【００１２】
ベンチ１０１は、基台１０上に矩形の天板１１が水平に固定されてなるものであり、該天板１１周縁のすべてで腰掛けることができるようになっている。天板１１の幅及び奥行は特に限定されるものではないが、ベンチ１０１の周囲に設けられた複数の床１０２、１０３、１０４におけるベンチ１０１の使い易さを比較検討するには、ベンチ１０１の所要の箇所に腰掛けた状態で、床１０２、１０３、１０４に両足をおくことができる程度の大きさであることが好ましい。また、ベンチ１０１の高さも特に限定されるものではないが、本実施の形態においては、最高４５０ｍｍとしている。
【００１３】
前記複数の床１０２、１０３、１０４は、玄関の土間１２と夫々連設されており、各床１０２、１０３、１０４と土間１２との段差が夫々異なるものとなっている。
【００１４】
更に詳細に説明するに、床１０２は、図に示すように、前記ベンチ１０１と土間１２との間に介在するような位置に設けられており、土間１２との段差Ａが約１１０ｍｍとなっている。一方、該床１０２の床面から前記ベンチ１０１の天面までの高さＨ１は４５０ｍｍとなっている。従って、ベンチ１０１の床１０２側（図左手前側）に腰掛けることにより、高さ４５０ｍｍのベンチを実体験できる。
【００１５】
また、床１０３は、図に示すように、前記ベンチ１０１、土間１２、及び床１０２のすべてと夫々接するように設けられており、土間１２との段差Ｂが約１８０ｍｍとなっている。従って、前記床１０２との段差Ｃは約７０ｍｍであり、床１０３の床面から前記ベンチ１０１の天面までの高さＨ２は３８０ｍｍとなり、ベンチ１０１の床１０３側（図左奥側）に腰掛けることにより、高さ３８０ｍｍのベンチを実体験できる。
【００１６】
また、床１０４は、図に示すように、前記ベンチ１０１、土間１２、床１０２、及び床１０３のすべてと夫々接するように設けられており、土間１２との段差Ｄが約３００ｍｍとなっている。従って、前記床１０２との段差Ｅは約１９０ｍｍ、前記床１０３との段差Ｆは約１２０ｍｍであり、床１０４の床面から前記ベンチ１０１の天面までの高さＨ３は２６０ｍｍとなり、ベンチ１０１の床１０４側（図右側）に腰掛けることにより、高さ２６０ｍｍのベンチを実体験できる。
【００１７】
更に、図には示していないが、各床１０２、１０３、１０４の段差部分の縁には、前述した段差の寸法が記されている。詳細には、段差Ａ近傍の床１０２の縁には「Ｈ＝１１０ｍｍ」と、段差Ｂ近傍の床１０３の縁には「Ｈ＝１８０ｍｍ」と、段差Ｄ近傍の床１０４の縁には「Ｈ＝３００ｍｍ」と記されている。更に、段差Ｃ近傍の床１０３の縁には「Ｈ＝７０ｍｍ」と、段差Ｅ近傍の床１０４の縁には「Ｈ＝１９０ｍｍ」と記され、段差Ｆ近傍の床１０４の縁には「Ｈ＝１２０ｍｍ」と記されている。
【００１８】
また、ベンチ１０１の基台１０が各床１０２、１０３、１０４夫々と接する各側面には、前述した各床面からベンチ１０１の天面までの高さＨ１、Ｈ２、Ｈ３が夫々「Ｈ＝４５０ｍｍ」、「Ｈ＝３８０ｍｍ」、「Ｈ＝２６０ｍｍ」と記されている。
これにより、各使用者が使い易い高さを測定したり口頭で説明を受ける等するまでもなく、各段差Ａ、Ｂ、Ｃ、Ｄ、Ｅ、Ｆの寸法及びベンチ１０１の高さが視覚的に理解できるようになっている。
なお、前記各床１０２、１０３、１０４にはフローリング材が、土間１２にはタイルが敷設されて、一般的な住居の玄関と同様の外観となっている。
【００１９】
以下、本玄関ベンチ体験装置１００の使用方法について説明する。
生涯住宅の居住者となるべき者や設計者等は、高齢者や運動障害者の立場から玄関に設けられるベンチの利便性を実体験するために、例えば、足腰に重りを着けたり、関節を拘束する運動拘束具を装着して高齢者等の動作における負担を模擬的に課して、各段差を昇降し、また、各床においてベンチに腰掛ける。
【００２０】
詳細には、各段差Ａ、Ｂ、Ｃ、Ｄ、Ｅ、Ｆを、例えば履物を脱ぎ履きしながら、順次昇降する。その際、足腰の筋力及びバランス感覚ともに十分な健常者であれば、例えば１８０ｍｍ以上の段差であっても難なく昇降することができるが、高齢者や運動障害者の場合は、足腰の筋力又はバランス感覚が不十分である場合が多いので、バランスを崩したり、まったく昇ることができない段差もある。これを高齢者等の立場で実体験して、楽に昇降できる段差がどの程度であるかを理解する。これにより、上がり框の段差をどの程度とすればよいかを実体験に基づいて検討することができる。
【００２１】
次に、楽に昇降できる段差で、例えば履物を脱ぐ又は履くために座って再び立ち上がる動作を行う。健常人であれば上がり框等に座り込むことなく、立ち姿勢のまま或いは少し屈んで、例えば靴紐を結んだりすることができるが、足腰の筋力が不十分で身体の柔軟性も低い高齢者等では困難である。従って、前述したように、上がり框等に座り込むこととなるが、上がり框の段差が小さくなるほど深く座り込むこととなるため、該動作が困難となる。これを実体験して、玄関にベンチを設けなかった場合の、該動作の困難さを理解する。
【００２２】
次に、ベンチ１０１に腰掛けて、その必要性及び利便性を検討する。玄関に設けるベンチは、前述したように、例えば履物を脱いだり履いたりする際に使用するものであり、特に、高齢者や運動障害者が上がり框を昇降したり、履物を脱ぎ履きする際の利便性を目的とする場合には、ベンチ１０１に座わったり立ち上がる際の身体的な負担を軽くすることが望ましい。このような動作を容易に行うには、一般に、ベンチ１０１の高さはある程度高いほうがよいと考えられる。一方、ベンチ１０１が高ければ、例えば靴紐を結ぶ場合に体を大きく前方に屈する必要があり、これも身体の柔軟性が低い高齢者等には困難である。また、ベンチ１０１を使用する家族の身長をも考慮する必要がある。これらを踏まえて、ベンチ１０１の床１０２側、床１０３側、床１０４側ヘ夫々腰掛けて、どの高さが最も使い易いかを実体験により検討する。
【００２３】
このようにして、玄関に設けるべきベンチの必要性、及び最も適当なベンチの高さを、ベンチ１０１を各床１０２、１０３、１０４側の夫々で使用することにより、実体験に基づいて検討することができる。これにより、家族構成や将来生活等を想定したユニバーサルデザインを玄関のベンチの設計に採りいれることができる。
【００２４】
なお、本実施の形態で示した玄関ベンチ体験装置１００の使用方法は一例であり、必ずしも各段差の検討後にベンチ１０１を使用する必要はなく、その他の順序等でベンチ１０１の必要性及び利便性を検討してもよいことは勿論である。
また、本実施の形態に係る玄関ベンチ体験装置１００においては、ベンチ１０１の周囲に３つの床１０２、１０３、１０４を設けているが、本発明に係るベンチの周囲に設けるべき床の数、高さ、及びその間隔を任意に変更してよいことも勿論である。
【００２５】
【発明の効果】
本発明に係る玄関ベンチ体験装置によれば、住宅の玄関に設けられるベンチの周囲に、該ベンチの天面から床面までの高さが異なるように、複数の床を設けたので、玄関に設けられるベンチの高さの違いによる利便性を実体験に基づいて理解することができる。これにより、家族構成や将来生活等を想定した玄関のベンチの設計、即ちユニバーサルデザインを行うことができ、居住者の満足度が高い生涯住宅を実現できる。
【００２６】
また、本発明によれば、前記複数の床は、玄関の土間と夫々連設されており、各床と土間との段差が夫々異なるものとしたので、玄関の上がり框の段差の違いによる利便性を実体験に基づいて検討できるとともに、該段差との関係におけるベンチの必要性を実体験に基づいて理解することができる。
【図面の簡単な説明】
【図１】本発明の実施の形態に係る玄関ベンチ体験装置１００の構成を示す概略斜視図である。
【符号の説明】
１００  玄関ベンチ体験装置
１０１  ベンチ
１０２、１０３、１０４  床
１２  土間
【図１】
0003962944.tif 000002